(57)【要約】【課題】  コンビニやスーパーなどの店頭に設置される場合など、多くの人がこのデジタルプリント受付装置の前を通過するときに、効果的な宣伝を行うことができるデジタルプリント受付装置を用いた広告情報提供システムを提供することを課題とする。【解決手段】  デジタルメディアからプリントデータを取得し、利用者が操作画面を操作してプリント指示を行い、写真をプリントするためのデジタルプリント装置において、  利用者が操作画面を操作していない状態において、複数の広告情報を所定の時間で切り替えて表示させることを特徴とするデジタルプリント装置を用いた広告情報提供システムであり、該広告情報は、インターネットを介して広告情報を変更でき、操作画面に表示される複数の広告情報選択ボタンから選択して希望の広告を表示させることができることを特徴とする。【選択図】  図１
2011059523.tif 000002
【特許請求の範囲】
【請求項１】
デジタルメディアからプリントデータを取得し、利用者が操作画面を操作してプリント条件の設定を行い、写真をプリントするためのデジタルプリント受付装置において、
利用者が操作画面を操作していない状態において、複数の広告情報を所定の時間で切り替えて表示させることを特徴とするデジタルプリント受付装置を用いた広告情報提供システム。
【請求項２】
前記の広告情報は、インターネットを介して広告情報を変更できることを特徴とする請求項１に記載のデジタルプリント受付装置を用いた広告情報提供システム。
【請求項３】
前記の広告情報は、操作画面に表示される複数の広告情報選択ボタンから選択して希望の広告を表示させることができることを特徴とする請求項１又は請求項２に記載のデジタルプリント受付装置を用いた広告情報提供システム。
【請求項４】
操作画面に表示される希望の広告情報をプリントできることを特徴とする請求項１から請求項３までのいずれかの項に記載のデジタルプリント受付装置を用いた広告情報提供システム。
【請求項５】
操作画面に表示される希望の広告情報を書き込み用CDに記録させることを特徴とする請求項１から請求項４までのいずれかの項に記載のデジタルプリント受付装置を用いた広告情報提供システム。
【請求項６】
操作画面に広告情報の提供企業のホームページを携帯電話に表示させるためのQRコードが表示されており、広告情報が携帯電話で取得できることを特徴とする請求項１から請求項５までのいずれかの項に記載のデジタルプリント受付装置を用いた広告情報提供システム。
【発明の詳細な説明】
【技術分野】
【０００１】
本発明はデジタルプリント受付装置を用いた広告情報の提供システムに係り、特にデジタルプリント受付装置の入力操作以外の時間帯において、画面にも効果的な広告情報を表示させることができる広告情報提供システムに関する。
【背景技術】
【０００２】
従来、デジタルカメラなどのデジタルプリント装置において、利用者がプリント指示を行ってからプリントが終了するまでの待ち時間に、利用者を退屈させないための技術が提案されている。
【０００３】
例えば、特開２００５−３４３０８０号公報では、プリント指示の待ち時間において、ディスプレイにサービスデータ選択画面が表示され、利用者は、操作パネルを操作してサービスデータ選択画面から所望のサービスデータを選択すると、ディスプレイ、スピーカ等により選択されたサービスデータが表示されるプリントシステムが開示されている。
【先行技術文献】
【特許文献】
【０００４】
【特許文献１】特開２００５−３４３０８０
【発明の概要】
【発明が解決しようとする課題】
【０００５】
上記の特開２００５−３４３０８０では、デジタルプリント受付装置において、プリントされるまでの待ち時間のみを対象としているものである。
【０００６】
しかしながら、店頭に設置されているデジタルカメラや携帯電話カメラなどによるデジタルメディアをプリントするためのデジタルプリント受付装置は、設置されている店が開業している間中、稼働している。
【０００７】
すなわち、利用者がプリントのために操作している以外の時間は、操作画面には、決められた一定の情報が表示されているにすぎない状態である。
【０００８】
最近では、コンビニエンスストアやスーパーなどに設置されることも多く、２４時間稼働していることも多く、多くの人が、このデジタルプリント受付装置の前を通過するにもかかわらず、効果的な広告が行われているとは言えない。
【０００９】
本発明は、上記の問題を解決するためになされたものであり、コンビニやスーパーなどの店頭に設置される場合など、多くの人がこのデジタルプリント受付装置の前を通過するときに、効果的な宣伝を行うことができるデジタルプリント受付装置を用いた広告情報提供システムを提供することを課題とする。
【課題を解決するための手段】
【００１０】
本発明は諸課題を解決するために、請求項１では、デジタルメディアからプリントデータを取得し、利用者が操作画面を操作してプリント条件の設定を行い、写真をプリントするためのデジタルプリント装置において、
利用者が操作画面を操作していない状態において、複数の広告情報を所定の時間で切り替えて表示させることを特徴とするデジタルプリント受付装置を用いた広告情報提供システムとするものである。
【００１１】
利用者のプリント設定操作が終了し、利用者が画面に指が触れなくなった状態から、一定時間後に、広告情報表示画面に切り替わるものである。
【００１２】
また、広告情報は、複数の広告情報を一定期間で切り替えて表示できるものであり、各広告情報の表示時間を任意に設定できるものである。
【００１３】
広告情報が表示されている状態で、利用者が画面に触れると、ただちにプリント設定画面に切り替わるものである。
【００１４】
広告情報画面とプリント設定画面の切り替えのために、切り替えボタンを設けても良い。
【００１５】
また、広告表示画面は、画面を複数に分割して、同時に複数の広告情報を表示させるようにしても良い。また、複数の広告情報の中の一つの広告情報のみを一定時間ごとに大きくしたり、切り替えたりしても良い。
【００１６】
また、広告情報は、静止画、動画、アニメーションなど広告情報を表示できるものであればいずれでも良い。
【００１７】
請求項２では、前記の広告情報は、インターネットを介して広告情報を変更できることを特徴とするデジタルプリント受付装置を用いた広告情報提供システムとするものである。
【００１８】
このデジタルプリント受付装置は、通信機能が備えられており、インターネットに接続され、複数のデジタルプリント受付装置を集中管理するためのサーバと接続されており、サーバ側から、デジタルプリント受付装置の操作画面に表示される広告情報を任意に変更できるものである。
【００１９】
また、サーバ側から、それまで表示されていた広告情報を新しい広告情報に変更できるものである。
【００２０】
また、サーバ側から、複数の広告情報を切り替える時間を変更できるものである。各広告情報の表示時間を変更できるものである。
【００２１】
また、フレーム分割による複数画面に各々に広告情報が表示されている場合、各分割画面に表示される広告情報を任意に変更することができるものである。
【００２２】
また、複数のデジタルプリント受付装置をサーバで管理することができ、たとえば、あるスーパーの近くに設置されている複数デジタルプリント受付装置のみに対して、広告情報を変更するができるものである。これにより、夕方の大売出しやタイムサービス開始の情報などをタイムリーに広告宣伝できるものである。
【００２３】
請求項３では、前記の広告情報は、操作画面に表示される複数の広告情報選択ボタンから選択して希望の広告を表示させることができることを特徴とするデジタルプリント受付装置を用いた広告情報提供システムである。
【００２４】
操作画面の周辺部に複数の広告情報切替ボタンや各広告情報を表示する小窓が設けられているものでも良い。
【００２５】
請求項４では、操作画面に表示される希望の広告情報をプリントできることを特徴とするデジタルプリント受付装置を用いた広告情報提供システムとするものである。
【００２６】
該デジタルプリント受付装置は、プリント機能を有しており、画面に表示されている広告情報をプリントボタンを押してプリントすることができるものである。
【００２７】
また、プリントボタンの操作により、予め記憶された広告情報がプリントされるようにしても良い。
【００２８】
請求項５では、操作画面に表示される希望の広告情報を書き込み用CDに記録させることを特徴とするデジタルプリント受付装置を用いた広告情報提供システム。
【００２９】
該デジタルプリント受付装置は、CD記録機能が備えられているものである。
【００３０】
また、CDに記録される広告情報は、表示されている広告情報をそのまま記録されるものでも良く、予め用意された詳しい広告情報を記録するものでも良い。
【００３１】
請求項６では、操作画面に広告情報の提供企業のホームページを携帯電話に表示させるためのQRコードが表示されており、広告情報が携帯電話で取得できることを特徴とするデジタルプリント受付装置を用いた広告情報提供システムとするものである。
【００３２】
該操作画面に表示されたQRコードに、QRコード読み取り機能を有する携帯電話をかざしてQRコードを読み取らせて、広告企業のホームページを表示させるものである。表示されたホームページから必要な情報を入手することができる。
【００３３】
また、広告情報をダウンロードするページに直接、移動して、広告情報をただちにダウンロードできるようにしても良い。
【発明の効果】
【００３４】
本発明は以下の効果を奏する。
１）デジタルプリント受付装置を用いて効果的な宣伝広告を行うことができる。
【００３５】
２）各店舗に設置されたデジタルプリント装置に表示される広告宣伝をサーバから自由に変更、修正することができる。
【００３６】
３）デジタルプリント受付装置が稼働していない時間でも広告収入が期待できる。  
【００３７】
４）デジタルプリント受付装置の利用者が任意の広告を選択でき、簡単に広告情報を入手できる。
【００３８】
５）デジタルプリント受付装置で提供される広告情報を携帯電話で取得することができる。
【００３９】
６）コンビニエンスストアの集配システムの活用することで、プリントされた写真の集配が早く、かつ安価に提供できる。
【００４０】
７）デジタルプリント受付装置が設置されている店舗では、必ずリピーターが見込めるので、それにより、集客力を大幅にアップできる。
【００４１】
８）インターネットでプリント情報を収集し、広告情報を配信することにより、顧客の情報を分析することが可能となり、地域別や年代別等、種々の的確な広告をすることが可能となる。
【図面の簡単な説明】
【００４２】
【図１】本発明によるデジタルプリント受付装置を用いた広告情報提供システムの構成を示す概略図である。
【図２】本発明によるデジタルプリント受付装置の広告情報画面レイアウト例を示す図である。
【図３】本発明による広告情報処理サーバの構成を示す概略図である。
【発明を実施するための形態】
【００４３】
本発明の実施の形態について図面を用いて説明する。
図１は、本発明によるデジタルプリント受付装置を用いた広告情報提供システムの構成を示す概略図である。
【００４４】
本システムは、インターネット３を介して複数のデジタルプリント受付装置１を集中管理するサーバ２により広告情報を管理する広告情報提供システムである。
【００４５】
各デジタルプリント受付装置１には、該デジタルプリント受付装置１が設置された店舗に設けられているパソコン４に接続され、このパソコン４を利用してインターネットに接続されるものである。
【００４６】
そして、該パソコン４からインターネット３を経由して管理サーバ２に接続されている。
【００４７】
該デジタルプリント受付装置１には、広告情報を表示させるための表示プログラムがインストールされている。
【００４８】
この広告情報表示プログラムは、デジタルプリント受付装置１を利用者がプリント設定のために操作を行っていない状態のときに、管理サーバからダウンロードされた複数の広告情報を一定期間で切り替えられて、順次広告情報を表示するものである。
【００４９】
図２は、本発明によるデジタルプリント受付装置の広告情報画面レイアウト例を示す図である。
【００５０】
広告情報表示画面１０の中央部に広告情報であるコマーシャル映像が表示されるメイン映像画面１１が表示され、画面の下部に複数の広告情報表示ボタン１２が表示されているものである。この広告情報表示ボタン１２に触れると、メイン映像画面１１に指定した広告情報が表示されるものである。
【００５１】
該広告情報表示ボタンは、広告内容が容易に認識できるイラスト又は写真が表示されたボタンである。、
【００５２】
また、この広告表示ボタンには、QRコード１３が表示されている。このQRコードは、広告情報を提供している企業のホームページの情報が含まれており、QRコードの読み取り機能を有する携帯電話でQRコードを読み取ることにより、広告情報提供企業のホームページに飛び、その詳細な広告情報を閲覧することができ、また、ダウンロードすることができるものである。
【００５３】
図３は、本発明による広告情報処理サーバの構成を示す概略図である。
【００５４】
本サーバ２は、デジタルプリント受付装置１が多数の店舗、たとえばコンビニなどに設置されている状態において、インターネット３を介して、広告情報を任意に変更することを可能とするものである。
【００５５】
該サーバ２は、店舗に設置されているパソコン４を介してデジタルプリント受付装置に接続されている。
【００５６】
該サーバは、デジタルプリント受付装置に広告情報を送信するための送受信部２１と、サーバを制御するための制御装置２２と、各社の広告情報が記録された広告情報DB２４と、広告情報の選択、表示時間の設定等の処理を行うための広告情報処理部２３とならなる。
【００５７】
デジタルプリント受付装置１において、利用者がプリント操作を終了すると、レシートが排出されて、操作が終了すると、広告表示画面に切り替わる。
【００５８】
この時点で、サーバ２から最新の広告情報が配信される。
【００５９】
広告画面の切り替え情報がサーバ２の送受信部２１で受信される。制御部２２において、最新広告情報の確認の指令が広告情報処理部２３に指令され、広告情報処理部２３において、広告情報DB２４から、最新の広告情報を検索して取得し、最新の広告情報の設定条件を設定し、それらの広告情報及び設定情報を送受信部２１から各店舗のパソコン４を介してデジタルプリント受付装置１に送信される。
【００６０】
デジタルプリント受付装置１は、最新情報を受け取り、設定条件に従って、コマーシャル映像を画面に表示させるものである。
【００６１】
コマーシャル映像は、たとえば、８社のコマーシャルを１５秒づつ、４社のコマーシャルいを３０秒づつ放映し、これらを２分間の１スパンとして、２４時間、放映できるようにすることができる。
【００６２】
コンビニなどの２４時間営業店においては、上記のようにコマーシャルを２４時間放映できる、有力な広告手段となるものである。
【００６３】
また、インターネットを用いると、広告情報をリアルタイムに変更が可能となるため、たとえば、近隣のスーパーやデパートなどの大売出しやタイムサービスなど、時間帯で広告情報を変更したり、地域ごとに広告情報を変更したり、効果的な広告を行うことが可能となる。
【００６４】
デジタルプリント受付装置をコンビニ等の店舗に設置し、広告宣伝を行うことにより、店舗の集客効果を増大でき、また、広告宣伝費用を軽減でき、広告収入を得ることも可能となるものである。
【符号の説明】
【００６５】
１  デジタルプリント受付装置
２  サーバ
３  インターネット
４  パソコン
１０  広告情報表示画面
１１  メイン映像画面
１２  広告情報表示ボタン
１３  QRコード
２１  送受信部
２２  制御部
２３  広告情報処理部
２４  広告情報DB
【図１】
2011059523.tif 000003
【図２】
2011059523.tif 000004
【図３】
2011059523.tif 000005